(57)【要約】【課題】特定の読み手による文書の可読性評価を行うためのパラメータを簡易な処理で得ることができるようにする。【解決手段】特徴量抽出部２０２によって、特定の読み手によって文書の可読性に関する可読性評価値が予め付与された複数の文書の各々について、文書の可読性に関する複数の特徴量を抽出する。そして、パラメータ調整部２０４によって、複数の文書の各々について特徴量抽出部２０２によって抽出された複数の特徴量に基づいて、複数の文書の各々についての、予め付与された可読性評価値と、複数の特徴量の重み付き加算値との差分絶対値が小さくなり、かつパラメータデータベース２０３に記憶された複数の特徴量の各々に対する重みとの差分絶対値が小さくなるように、パラメータデータベース２０３に記憶された複数の特徴量の各々に対する重みを調整する。【選択図】図１
2014142702.tif 000002
【特許請求の範囲】
【請求項１】
特定の読み手によって文書の可読性に関する可読性評価値が予め付与された複数の文書の各々について、文書の可読性に関する複数の特徴量を抽出する特徴量抽出手段と、
文書の前記可読性評価値を求めるための予め学習された可読性予測モデルで用いられるパラメータを記憶する記憶手段と、
前記複数の文書の各々について前記特徴量抽出手段によって抽出された前記複数の特徴量に基づいて、前記複数の文書の各々についての、前記予め付与された前記可読性評価値と、前記複数の特徴量及び前記パラメータに基づく前記可読性評価値の予測値との差分絶対値が小さくなり、かつ前記記憶手段に記憶された前記パラメータとの差分絶対値が小さくなるように、前記記憶手段に記憶された前記パラメータを調整するパラメータ調整手段と、
を含む文書評価パラメータ調整装置。
【請求項２】
特徴量抽出手段、パラメータ調整手段、及び文書の可読性に関する可読性評価値を求めるための予め学習された可読性予測モデルで用いられるパラメータを記憶する記憶手段を含む文書評価パラメータ調整装置における文書評価パラメータ調整方法であって、
前記特徴量抽出手段によって、特定の読み手によって前記可読性評価値が予め付与された複数の文書の各々について、文書の可読性に関する複数の特徴量を抽出するステップと、
前記パラメータ調整手段によって、前記複数の文書の各々について前記特徴量抽出手段によって抽出された前記複数の特徴量に基づいて、前記複数の文書の各々についての、前記予め付与された前記可読性評価値と、前記複数の特徴量及び前記パラメータに基づく前記可読性評価値の予測値との差分絶対値が小さくなり、かつ前記記憶手段に記憶された前記パラメータとの差分絶対値が小さくなるように、前記記憶手段に記憶された前記パラメータを調整するステップと、
を含む文書評価パラメータ調整方法。
【請求項３】
文書の可読性に関する可読性評価値を求めるための予め学習された可読性予測モデルで用いられるパラメータを記憶する記憶手段を含むコンピュータを、
特定の読み手によって文書の可読性に関する可読性評価値が予め付与された複数の文書の各々について、文書の可読性に関する複数の特徴量を抽出する特徴量抽出手段、及び
前記複数の文書の各々について前記特徴量抽出手段によって抽出された前記複数の特徴量に基づいて、前記複数の文書の各々についての、前記予め付与された前記可読性評価値と、前記複数の特徴量及び前記パラメータに基づく前記可読性評価値の予測値との差分絶対値が小さくなり、かつ前記記憶手段に記憶された前記パラメータとの差分絶対値が小さくなるように、前記記憶手段に記憶された前記パラメータを調整するパラメータ調整手段
として機能させるためのプログラム。
【発明の詳細な説明】
【技術分野】
【０００１】
本発明は、文書評価パラメータ調整装置、方法、及びプログラムに関し、特に、可読性評価値を求めるためのパラメータを得るための文書評価パラメータ調整装置、方法、及びプログラムに関する。
【背景技術】
【０００２】
近年、電子化されたテキスト（文書）が大量に流通するようになった。インターネットをはじめネットワーク上に存在する文書は様々な書き手によって書かれているが、全ての書き手が文書をわかりやすく記述するための十分な訓練を受けているとは限らない。そのため、文書の中には、理解しづらいものや、読み手のために加筆や修正を必要とするものも存在する。
【０００３】
このような状況において読み手を支援する一つの方法は、文書の読みやすさ（可読性）を機械的に評価する仕組みを作り、読みやすい（可読性が高い）と判定された文書を優先的に読み手に提示することである。
【０００４】
文書の可読性を機械によって評価することができれば、可読性の高い文書のみを読み手に提示するだけでなく、書き手に対して文書の可読性に関する評価を与えることによって、書き手に対して文書をより読みやすく（可読性が高く）なるように書き換えるよう指示することもできると期待できる。
【０００５】
文書の可読性を把握する方法として、非特許文献１は重回帰モデルを利用し、文書と、人手で与えたその文書の可読性評価情報の組を予め用意し、それを学習事例として重回帰モデルのパラメータを学習することで文書の可読性を評価する方法を提案している。
【先行技術文献】
【非特許文献】
【０００６】
【非特許文献１】柴崎秀子, 玉岡賀津雄,「 国語科教科書を基にした小・中学校の文章難易学年判定式の構築」, 日本教育工学会論文誌, Vol.33, No.4, pp.449-458, 2010.
【発明の概要】
【発明が解決しようとする課題】
【０００７】
しかし、非特許文献１の技術では、文書の可読性を把握する際に、ある特定の読み手に関する情報を全く考慮していないという問題がある。すなわち、非特許文献１の学習事例における読みやすい文書と、ある特定の読み手にとって読みやすい文書が乖離している場合、その特定の読み手にとってはその学習事例から学習されたパラメータは役に立たないものとなってしまう。
【０００８】
この問題に対する一つの方法は、読み手一人一人が学習事例を用意して、読み手一人ひとりの学習事例から学習されたある特定の読み手のためのパラメータを用いてその読み手のために可読性評価を行うことであるが、実際には一人の読み手が大量の学習事例に対して可読性評価情報を付与することは現実的ではない。
【０００９】
本発明は、上記の事情を鑑みてなされたもので、特定の読み手による文書の可読性評価を行うためのパラメータを簡易な処理で得ることができる文書評価パラメータ調整装置、方法、及びプログラムを提供することを目的とする。
【課題を解決するための手段】
【００１０】
上記の目的を達成するために本発明に係る文書評価パラメータ調整装置は、特定の読み手によって文書の可読性に関する可読性評価値が予め付与された複数の文書の各々について、文書の可読性に関する複数の特徴量を抽出する特徴量抽出手段と、文書の前記可読性評価値を求めるための予め学習された可読性予測モデルで用いられるパラメータを記憶する記憶手段と、前記複数の文書の各々について前記特徴量抽出手段によって抽出された前記複数の特徴量に基づいて、前記複数の文書の各々についての、前記予め付与された前記可読性評価値と、前記複数の特徴量及び前記パラメータに基づく前記可読性評価値の予測値との差分絶対値が小さくなり、かつ前記記憶手段に記憶された前記パラメータとの差分絶対値が小さくなるように、前記記憶手段に記憶された前記パラメータを調整するパラメータ調整手段と、を含んで構成されている。
【００１１】
本発明に係る文書評価パラメータ調整方法は、特徴量抽出手段、パラメータ調整手段、及び文書の可読性に関する可読性評価値を求めるための予め学習された可読性予測モデルで用いられるパラメータを記憶する記憶手段を含む文書評価パラメータ調整装置における文書評価パラメータ調整方法であって、前記特徴量抽出手段によって、特定の読み手によって前記可読性評価値が予め付与された複数の文書の各々について、文書の可読性に関する複数の特徴量を抽出するステップと、前記パラメータ調整手段によって、前記複数の文書の各々について前記特徴量抽出手段によって抽出された前記複数の特徴量に基づいて、前記複数の文書の各々についての、前記予め付与された前記可読性評価値と、前記複数の特徴量及び前記パラメータに基づく前記可読性評価値の予測値との差分絶対値が小さくなり、かつ前記記憶手段に記憶された前記パラメータとの差分絶対値が小さくなるように、前記記憶手段に記憶された前記パラメータを調整するステップと、を含む。
【００１２】
本発明に係るプログラムは、文書の可読性に関する可読性評価値を求めるための予め学習された可読性予測モデルで用いられるパラメータを記憶する記憶手段を含むコンピュータを、特定の読み手によって文書の可読性に関する可読性評価値が予め付与された複数の文書の各々について、文書の可読性に関する複数の特徴量を抽出する特徴量抽出手段、及び前記複数の文書の各々について前記特徴量抽出手段によって抽出された前記複数の特徴量に基づいて、前記複数の文書の各々についての、前記予め付与された前記可読性評価値と、前記複数の特徴量及び前記パラメータに基づく前記可読性評価値の予測値との差分絶対値が小さくなり、かつ前記記憶手段に記憶された前記パラメータとの差分絶対値が小さくなるように、前記記憶手段に記憶された前記パラメータを調整するパラメータ調整手段として機能させるためのプログラムである。
【００１３】
本発明に係る文書評価パラメータ調整装置、方法、及びプログラムによれば、特徴量抽出手段によって、特定の読み手によって文書の可読性に関する可読性評価値が予め付与された複数の文書の各々について、文書の可読性に関する複数の特徴量を抽出する。
【００１４】
そして、パラメータ調整手段によって、複数の文書の各々について特徴量抽出手段によって抽出された複数の特徴量に基づいて、複数の文書の各々についての、予め付与された可読性評価値と、複数の特徴量及びパラメータに基づく可読性評価値の予測値との差分絶対値が小さくなり、かつ記憶手段に記憶されたパラメータとの差分絶対値が小さくなるように、記憶手段に記憶されたパラメータを調整する。
【発明の効果】
【００１５】
以上説明したように、本発明の文書評価パラメータ調整装置、方法、及びプログラムによれば、特定の読み手によって可読性評価値が予め付与された複数の文書の各々について、複数の特徴量を抽出し、予め付与された可読性評価値と、複数の特徴量及びパラメータに基づく可読性評価値の予測値との差分絶対値が小さくなり、かつ記憶されたパラメータとの差分絶対値が小さくなるように、パラメータを調整することにより、特定の読み手による文書の可読性評価を行うためのパラメータを簡易な処理で得ることができる、という効果が得られる。
【図面の簡単な説明】
【００１６】
【図１】本発明の実施の形態に係る文書評価パラメータ調整装置の一構成例を示すブロック図である。
【図２】本発明の実施の形態に係る文書評価パラメータ調整装置に入力される文書データの一例を示す図である。
【図３】文書と当該文書の可読性評価値（可読性評価情報）の一例を示す図である。
【図４】パラメータデータベースに格納される重みベクトルｗ＾の一例を示す図である。
【図５】本発明の実施の形態に係る文書評価パラメータ調整装置におけるパラメータ調整処理ルーチンの内容を示すフローチャートである。
【発明を実施するための形態】
【００１７】
＜概要＞
まず、本発明の実施の形態の概要について説明する。
【００１８】
本発明の実施の形態は、予め用意されている学習事例から学習されたパラメータを、ある特定の読み手の可読性評価に適合するように調整する。具体的には、上記非特許文献１のような、事前に学習事例を利用して学習されたパラメータを、別途用意した、特定の読み手が可読性についての評価を与えた少量の文書を利用して、特定の読み手にとって読みやすい文書に高い可読性評価値を与えるように調整する。
【００１９】
＜システム構成＞
以下、図面を参照して本発明の実施の形態を詳細に説明する。図１は、本発明の実施の形態に係る文書評価パラメータ調整装置１００を示すブロック図である。文書評価パラメータ調整装置１００は、ＣＰＵと、ＲＡＭと、後述するパラメータ調整処理ルーチンを実行するためのプログラムを記憶したＲＯＭとを備えたコンピュータで構成され、機能的には次に示すように構成されている。
【００２０】
本実施の形態に係る文書評価パラメータ調整装置１００は、図１に示すように、入力部１と、演算部２と、出力部３とを備えている。
【００２１】
入力部１は、入力された複数の文書（テキスト）からなる文書群（テキスト群）を受け付ける。例えば、文書として図２に示すようなデータを入力することができる。図２では、文書が文に分割され、更に形態素解析および係り受け解析が行われた結果を示すデータが入力として与えられた場合を示している。図２に示す表の各行がそれぞれ一形態素に対応しており、形態素の属する文節の番号、その文節の係り先、形態素の表記、読み、品詞、の情報がある。また、入力部１は、文書と共に、ある特定の読み手によって予め付与された可読性評価情報を教師情報として受け付ける。可読性評価情報には、ある特定の読み手によって当該文書毎に予め付与された可読性評価値が含まれている。
【００２２】
可読性評価値は、１から５までの整数とし、１を読みづらい、２をどちらかというと読みづらい、３をどちらでもない、４をどちらかというと読みやすい、５を読みやすい、という形で与える。文書と当該文書の可読性評価値の組の一例を図３に示す。
【００２３】
演算部２は、訓練事例データベース２０１と、特徴量抽出部２０２と、パラメータデータベース２０３と、パラメータ調整部２０４とを備えている。
【００２４】
訓練事例データベース２０１には、入力部１により受け付けた複数の文書からなる文書群及び当該文書群の文書毎の可読性評価値が記憶されている。
【００２５】
特徴量抽出部２０２は、訓練事例データベース２０１に記憶された文書群の文書の各々について、文書の可読性に関する複数の特徴量を抽出する。
【００２６】
具体的には、特徴量抽出部２０２は、訓練事例データベース２０１に記憶された各文書ｘから複数の特徴量を抽出し、各文書ｘの特徴ベクトルｆ＾（ｘ）を算出する。なお、記号に付された「＾」は、当該記号が行列または多次元配列またはベクトルであることを表わしている。特徴ベクトルｆ＾（ｘ）は実数を要素とするベクトルであり、言語尤度、エンティティ・グリッド、文間の類似度といった特徴量を要素として持つ。
【００２７】
ここで、言語尤度とは、ある単語列の文としての尤もらしさを表す数値である。文書を構成する各文の言語尤度、あるいはそれらの和や平均値、あるいは最大値や最小値を特徴量として用いることで、文書の可読性を評価することができる。本実施の形態では、文の言語尤度の和と、文の言語尤度の平均値とを言語尤度に関する特徴量として抽出する。
【００２８】
エンティティ・グリッドとは、文中に出現する名詞句の構文役割の変遷を利用して、文書の可読性を評価する方法である（参考文献（横野光, 奥村学, 「テキスト結束性を考慮したentity grid に基づく局所的一貫性モデル」, 自然言語処理, Vol.17, No.1, pp.161-182, 2010.）を参照）。エンティティ・グリッドに基づき、文書を構成する文の間における構文役割の変化を捉え、文書の可読性を評価することができる。本実施の形態では、エンティティ・グリッドを表わすベクトルの各要素についての和をエンティティ・グリッドに関する特徴量として各々抽出する。
【００２９】
文間の類似度とは、文書を構成する複数の文同士の類似度である。例えば１０文からなる文書の場合は、それらの文の間となる９つの文間の各々において文間の類似度を計算し、各文間の類似度、あるいはそれの和や平均値、最大値や最小値を特徴量として用いることで文書の可読性を評価することができる。本実施の形態では、文間の類似度の和、及び文間の類似度の平均値を、文間の類似度に関する特徴量として抽出する。
【００３０】
上記の特徴量は一例であって、上に述べた言語尤度に関する特徴量、エンティティ・グリッドに関する特徴量、文間の類似度に関する特徴量以外の、他の任意の特徴量を抽出してもよい。
【００３１】
パラメータデータベース２０３には、文書の可読性評価値を求めるための上記複数の特徴量の各々に対する重みが予め記憶されている。
具体的には、パラメータデータベース２０３には、複数の特徴量の各々に対する重みを表わす重みベクトルｗ＾が記憶されている。重みベクトルｗ＾が格納されるパラメータデータベース２０３の一例を図４に示す。図４に示す表の左側の列は、特徴量抽出部２０２によって抽出される特徴量の一部であり、それらに対応する右側の列はそれらの特徴量の重みである。図４に示す例は、特徴量抽出部２０２を説明する際に述べた、文間の類似度の和や、文間の類似度の平均値といった特徴量がそれぞれどの程度の重みを持っているかを示している。なお、図４に示す「ＳＳ」「ＳＯ」「ＳＸ」「Ｓ−」「ＯＳ」「ＯＯ」「ＯＸ」は、エンティティ・グリッドを表わすベクトルの各要素を示している。
【００３２】
パラメータデータベース２０３に記憶されている重みベクトルｗ＾は、複数の学習事例（学習用文書と任意の読み手により付与された可読性評価値との複数ペア）を用いた学習処理により予め求められた可読性予測モデルで用いられるパラメータである。なお、パラメータデータベース２０３は、記憶手段の一例である。
【００３３】
パラメータ調整部２０４は、特徴量抽出部２０２によって複数の文書について抽出された複数の特徴量に基づいて、複数の文書の各々についての、予め付与された可読性評価値と、複数の特徴量及び重みベクトルに基づく可読性評価値の予測値との差分絶対値が小さくなり、かつパラメータデータベース２０３に記憶された複数の特徴量の各々に対する重みとの差分絶対値が小さくなるように、パラメータデータベース２０３に記憶された複数の特徴量の各々に対する重みを調整する。
【００３４】
具体的には、パラメータ調整部２０４は、まず、入力部１により入力されたｎ個の文書ｘ１，ｘ２，…，ｘｎについて、特徴量抽出部２０２で抽出された特徴量としての特徴ベクトルｆ＾（ｘｎ）とその可読性評価値ｙｎとのｎ個の組を、訓練データＴ＝｛（ｆ＾（ｘ１），ｙ１），（ｆ＾（ｘ２），ｙ２），…，（ｆ＾（ｘｎ）， ｙｎ）｝としてメモリ（図示省略）に記憶する。そして、パラメータデータベース２０３に格納されたパラメータとしての重みベクトルをｗ０＾、ある特定の読み手に対して調整された重みベクトルをｗ１＾とすると、ｗ０＾とＴを用いて、一例として、以下の（１）式を解くことによって、重みベクトルｗ０＾を重みベクトルｗ1＾に調整する。
【００３５】
【数１】
2014142702.tif 000003
【００３６】
ここで、ｗ＾・ｆ＾（ｘｔ）は重みベクトルの変数ｗ＾と文書ｘｔの特徴ベクトルｆ（ｘｔ）との内積であり、可読性評価値の予測値に相当する。λは重みの変化の大きさを制御するハイパーパラメータである。すなわち、上記（１）式を解くことで、予め別途用意されているパラメータｗ０＾との差が少なく、かつ、ある特定の読み手によって与えられた可読性評価値をできるだけうまく予測するような新しいｗ１＾を得ることができる。上記（１）式は、一例として、確率的勾配降下法などのアルゴリズムを用いて解くことができる。
【００３７】
出力部３は、パラメータ調整部２０４で調整したパラメータとして、重みベクトルｗ１＾を結果として出力する。
【００３８】
特定の読み手の可読性評価値を算出する場合には、算出対象の文書から複数の特徴量を抽出し、重みベクトルｗ１＾を用いた可読性予測モデル（例えば、重回帰モデル）に基づいて、可読性評価値を算出する。
【００３９】
＜文書評価パラメータ調整装置の作用＞
次に、本実施の形態に係る文書評価パラメータ調整装置１００の作用について説明する。まず、文書評価パラメータ調整装置１００は、複数の学習事例を用いた学習処理により、可読性予測モデルを学習し、学習された可読性予測モデルで用いられる、各特徴量に対する重みを表わす重みベクトルｗ０＾を、パラメータデータベース２０３に格納しておく。そして、複数の文書である文書群と、当該複数の文書の各々について予め付与された可読性評価値（教師情報）とが文書評価パラメータ調整装置１００に入力されると、文書評価パラメータ調整装置１００によって、入力された文書群及び可読性評価値が、訓練事例データベース２０１へ格納される。そして、文書評価パラメータ調整装置１００によって、図５に示すパラメータ調整処理ルーチンが実行される。
【００４０】
まず、ステップＳ１００において、訓練事例データベース２０１から１つの文書を取り出す。そして、ステップＳ１０２において、特徴量抽出部２０２によって、上記ステップＳ１００において取り出された文書から、文書の可読性に関する複数の特徴量を抽出する。
【００４１】
次のステップＳ１０４では、パラメータ調整部２０４によって、上記ステップＳ１０２において抽出された文書の各特徴量を、訓練事例データベース２０１に記憶されている当該文書の可読性評価値と対応付けて、訓練データとしてメモリ（図示省略）に記憶する。
【００４２】
次に、ステップＳ１０６では、訓練事例データベース２０１に記憶されている全ての文書について、上記ステップＳ１００〜Ｓ１０４の処理を実行したか否かを判定する。そして、上記ステップＳ１００〜Ｓ１０４の処理を実行していない文書が存在する場合には、上記ステップＳ１００へ戻り、当該文書を取り出す。一方、全ての文書について、上記ステップＳ１００〜Ｓ１０４の処理を実行した場合には、ステップＳ１０８へ進む。
【００４３】
ステップＳ１０８において、パラメータデータベース２０３から、複数の特徴量の各々に対する予め学習された重みを表わす重みベクトルｗ０＾を読み込む。
【００４４】
ステップＳ１１０において、パラメータ調整部２０４によって、上記ステップＳ１０４でメモリに記憶された複数の訓練データを用いて、上記（１）式を解くことにより、複数の文書の各々についての、予め付与された可読性評価値と、複数の特徴量の重み付き加算値との差分絶対値が小さくなり、かつパラメータデータベース２０３に記憶された複数の特徴量の各々に対する重みとの差分絶対値が小さくなるように、パラメータデータベース２０３に記憶された複数の特徴量の各々に対する重みを調整する。
【００４５】
そして、ステップＳ１１２において、出力部３によって、上記ステップＳ１１０で調整された複数の特徴量の各々に対する重みからなる重みベクトルｗ１＾を出力し、パラメータ調整処理ルーチンを終了する。
【００４６】
以上説明したように、本実施の形態に係る文書評価パラメータ調整装置によれば、特定の読み手によって可読性評価値が予め付与された複数の文書の各々について、複数の特徴量を抽出し、予め付与された可読性評価値と、複数の特徴量に対する重みに基づく可読性評価値の予測値との差分絶対値が小さくなり、かつ記憶された複数の特徴量の各々に対する重みとの差分絶対値が小さくなるように、複数の特徴量の各々に対する重みを調整することにより、特定の読み手による文書の可読性評価を行うためのパラメータを簡易な処理で得ることができる。
【００４７】
また、文書の可読性を評価するためのパラメータを、ある特定の読み手に合わせて調整することにより、ある特定の読み手が大量の訓練事例を作成することなく、その読み手にとって読みやすい文書を提示することができる。
【００４８】
また、ある特定の読み手によって付与された少量の訓練事例に対する可読性評価情報を利用して、大規模な学習事例から求められた可読性評価のためのパラメータを調整することができる。
【００４９】
また、予め学習された文書の可読性を評価するためのパラメータをあまり変化させずに、特定の読み手の評価に適合するように調整することができる。
【００５０】
なお、本発明は、上述した実施形態に限定されるものではなく、この発明の要旨を逸脱しない範囲内で様々な変形や応用が可能である。
【００５１】
また、訓練事例データベース２０１及びパラメータデータベース２０３は、外部に設けられ、文書評価パラメータ調整装置とネットワークで接続されていてもよい。
【００５２】
また、入力部１に入力される文書は図２に示すような形態素解析済みの文書でなくてもよく、通常の文書の形態であってもよい。この場合には、入力された文書に対して、形態素解析を行ってから特徴量を抽出すればよい。
【００５３】
また、パラメータ調整部２０４は、上記（１）式に基づいて、確率的勾配降下法などのアルゴリズムを用いて重みベクトルｗ＾の調整を行う場合を例に説明したが、これに限定されるものではなく、他の方法によって重みベクトルｗ＾の調整を行っても良い。
【００５４】
また、読み手によって文書毎に予め付与される可読性評価値は、１から５までの整数とする場合を例に説明したが、これに限定されるものではなく、０あるいは１の整数の２値として、０を読みづらい、１を読みやすいという形にしてもよい。
【００５５】
また、重みベクトルｗ＾の調整を行うための少量の訓練事例の文書は、事前に重みベクトルｗ＾を学習する際に用いた学習事例の文書とは異なる場合を例に説明したが、これに限定されるものではなく、訓練事例の文書は学習事例の文書から取り出したものであっても良い。
【００５６】
また、重みベクトルｗ＾の予め行われる学習は、文書評価パラメータ調整装置とは別の装置によって行われてもよい。
【００５７】
また、可読性予測モデルが、上記非特許文献１に記載されている重回帰モデルである場合を例に説明したが、これに限定されるものではなく、パラメトリックな表現を持った他の可読性予測モデルであってもよい。
【００５８】
上述の文書評価パラメータ調整装置は、内部にコンピュータシステムを有しているが、「コンピュータシステム」は、ＷＷＷシステムを利用している場合であれば、ホームページ提供環境（あるいは表示環境）も含むものとする。
【００５９】
また、本願明細書中において、プログラムが予めインストールされている実施形態として説明したが、当該プログラムを、コンピュータ読み取り可能な記録媒体に格納して提供することも可能である。
【符号の説明】
【００６０】
２     演算部
１００ 文書評価パラメータ調整装置
２０１ 訓練事例データベース
２０２ 特徴量抽出部
２０３ パラメータデータベース
２０４ パラメータ調整部
【図１】
2014142702.tif 000004
【図２】
2014142702.tif 000005
【図３】
2014142702.tif 000006
【図４】
2014142702.tif 000007
【図５】
2014142702.tif 000008